(57)【要約】  種々の実施形態が、ビデオ格納メモリ、ビデオ信号受信機及びビデオ格納制御部を含む電子装置を提供する。上記ビデオ信号受信機は、広告コンテンツ及び番組／映画コンテンツを含むビデオストリームを放送ソースから受信するように構成される。ビデオ格納制御部は、番組／映画コンテンツ間に散在している広告コンテンツの位置を上記受信したビデオストリームにおいて特定し、この広告コンテンツの上記特定された位置に対応するアドレス指定可能な見出しマークと、上記受信されたビデオストリームに基づくビデオストリームとをメモリの中へ保存するように構成される。アドレス指定可能な見出しマークはディスプレイに表示され、かつ、ビデオストリームの再生を見出しマーク間でジャンプするために視聴者によって使用されることができる。
2011524108.tif 000002
【特許請求の範囲】
【請求項１】
ビデオ格納メモリと、
広告コンテンツと、番組／映画コンテンツとを含むビデオストリームを放送ソースから受信するように構成されたビデオ信号受信機と、
番組／映画コンテンツ間に散在している広告コンテンツの位置を前記受信したビデオストリームにおいて特定し、かつ、前記広告コンテンツの前記特定された位置に対応するアドレス指定可能な見出しマークと、前記受信したビデオストリームに基づくビデオストリームとを前記メモリの中へ保存するように構成されたビデオ格納制御部と、
を備えることを特徴とする電子装置。
【請求項２】
前記ビデオ格納制御部は、前記ビデオストリームを含む同一のメモリファイル内に保存されているアドレスルックアップテーブル内に前記アドレス指定可能な見出しマークを挿入するようにさらに構成されることを特徴とする請求項１に記載の電子装置。
【請求項３】
前記ビデオ格納制御部は、前記受信したビデオストリームの前記広告コンテンツの個々のインスタンスを除去し、該インスタンスを、前記アドレス指定可能な見出しマークのうちの対応する１つの見出しマークと置き換えて、前記メモリの中へ保存される修正ビデオストリームを生成するようにさらに構成されることを特徴とする請求項１乃至２のいずれか１項に記載の電子装置。
【請求項４】
前記ビデオ格納制御部は、前記受信したビデオストリームの前記番組／映画コンテンツ部分に組み込まれたサブタイトルテキストであって、前記特定された広告コンテンツ位置の各々を基準として、定義された再生時間の範囲内に配置されているサブタイトルテキストを抽出すると共に、前記ビデオストリームと共に前記メモリの中へ保存される前記アドレス指定可能な見出しマークの一部として、前記抽出されたサブタイトルテキストを挿入するようにさらに構成されることを特徴とする請求項１乃至３のいずれか１項に記載の電子装置。
【請求項５】
前記ビデオ格納制御部は、前記再生が次に生じるアドレス指定可能な見出しマークに達する前に、次に生じるアドレス指定可能な当該見出しマークに対応する前記抽出されたサブタイトルテキストの、前記ビデオストリームの再生中にディスプレイ上への表示を開始するようにさらに構成されることを特徴とする請求項４に記載の電子装置。
【請求項６】
前記ビデオ格納制御部は、前記広告コンテンツの前記特定された位置の各々に後続する前記ビデオストリームの前記番組／映画コンテンツ部分のビデオフレームのスナップショットをキャプチャするように構成されると共に、前記ビデオストリームと共に前記メモリの中へ保存される前記アドレス指定可能な見出しマークの一部として、前記キャプチャされたスナップショットを挿入するようにさらに構成されることを特徴とする請求項１乃至５のいずれか１項に記載の電子装置。
【請求項７】
前記ビデオ格納制御部は、前記再生が次に生じるアドレス指定可能な当該見出しマークに達する前に、次に生じるアドレス指定可能な見出しマークに対応する前記キャプチャされたスナップショットの、前記ビデオストリームの再生中に、ディスプレイ上への表示を開始するようにさらに構成されることを特徴とする請求項６に記載の電子装置。
【請求項８】
前記ビデオ格納制御部は、前記メモリの中へ保存される前記ビデオストリームをビデオディスプレイ上へ再生するように構成され、前記ビデオストリームを再生する長さを表わすと共に、現在の再生位置を指示する指示マークを前記再生タイムライン内に含む再生タイムラインをディスプレイ上に表示するように構成され、かつ、前記ビデオストリームの前記再生タイムラインの範囲内の前記指示マークの相対位置に比例する間隔を前記指示マーク間に有する少なくとも複数の前記アドレス指定可能な見出しマークを前記再生タイムライン上に表示するようにさらに構成されることを特徴とする請求項１乃至７のいずれか１項に記載の電子装置。
【請求項９】
前記ビデオ格納制御部は、前記アドレス指定可能な見出しマークのうちの選択された見出しマークによって定義された位置まで前記ビデオストリーム内の再生位置をジャンプすることによって視聴者見出し選択信号に応答するようにさらに構成されることを特徴とする請求項８に記載の電子装置。
【請求項１０】
前記ビデオ格納制御部は、前記アドレス指定可能な見出しマークのうちの順序付けられたシーケンシャルなマークによって定義された、前記ビデオストリーム内のシーケンシャルに発生する時間位置のうちの１つの別の時間位置まで前記再生位置をジャンプすることによって、前記視聴者見出し選択信号の個々の発生に応答するようにさらに構成されることを特徴とする請求項９に記載の電子装置。
【請求項１１】
前記ビデオ格納制御部は、前記メモリに保存された前記ビデオストリームの前記番組／映画コンテンツ部分に組み込まれたサブタイトルテキストであって、前記表示されたアドレス指定可能な見出しマークのうちの次の再生が行われることを示す１つの見出しマークを基準として、定義された再生時間の範囲内に配置されたサブタイトルテキストを抽出すると共に、再生が次に生じる表示されたアドレス指定可能な当該見出しマークに達する前に、前記抽出されたサブタイトルテキストの表示を開始するようにさらに構成されることを特徴とする請求項９乃至１０のいずれか１項に記載の電子装置。
【請求項１２】
前記サブタイトルテキストは、前記メモリに保存された前記ビデオストリームの前記番組／映画コンテンツ部分に組み込まれたクローズドキャプションテキストを含むと共に、前記ビデオ格納制御部は、前記表示されたアドレス指定可能な見出しマークのうちの次の再生が行われることを示す１つの見出しマークの前に生じる前記クローズドキャプションテキストの定義された語数を抽出し、該語数を前記ビデオディスプレイ上に表示するようにさらに構成されることを特徴とする請求項１１に記載の電子装置。
【請求項１３】
前記ビデオ格納制御部は、前記メモリに保存された前記ビデオストリームの前記番組／映画コンテンツ部分に組み込まれたサブタイトルテキストであって、複数の前記表示されたアドレス指定可能な見出しマークを基準として、定義された再生時間の範囲内に配置されたサブタイトルテキストを抽出すると共に、前記複数の表示されたアドレス指定可能な見出しマークに対応する前記抽出されたサブタイトルテキストを前記ディスプレイ上に表示するようにさらに構成されることを特徴とする請求項９乃至１２のいずれか１項に記載の電子装置。
【請求項１４】
前記ビデオ格納制御部は、前記表示されたアドレス指定可能な見出しマークに隣接して、前記ディスプレイ上に順序付けられた複数の前記表示されたアドレス指定可能な見出しマークに関連する前記抽出されたサブタイトルテキストを表示するようにさらに構成されることを特徴とする請求項１１に記載の電子装置。
【請求項１５】
前記抽出されたサブタイトルテキストは、前記メモリに保存された前記ビデオストリームに組み込まれたクローズドキャプションテキストを含むと共に、前記ビデオ格納制御部は、複数の前記表示されたアドレス指定可能な見出しマークに後続して生じる前記クローズドキャプションテキストの定義された語数を抽出し、該語数を前記ビデオディスプレイ上に表示するようにさらに構成されることを特徴とする請求項１３乃至１４のいずれか１項に記載の電子装置。
【請求項１６】
前記ビデオ格納制御部は、前記表示されたアドレス指定可能な見出しマークのうちの次の再生が行われることを示す１つの見出しマークに後続する前記ビデオストリームの前記番組／映画コンテンツ部分のビデオフレームのスナップショットをキャプチャするように構成され、かつ、再生が次に生じる表示されたアドレス指定可能な当該見出しマークに達する前に、前記キャプチャされたスナップショットの表示を開始するようにさらに構成されることを特徴とする請求項９乃至１５のいずれか１項に記載の電子装置。
【請求項１７】
前記ビデオ格納制御部は、前記表示されたアドレス指定可能な見出しマークの各々に後続する前記ビデオストリームの前記番組／映画コンテンツ部分のビデオフレームのスナップショットをキャプチャすると共に、前記複数の表示されたアドレス指定可能な見出しマークに対応する前記キャプチャされたスナップショットを前記ビデオディスプレイ上に表示するようにさらに構成されることを特徴とする請求項９乃至１６のいずれか１項に記載の電子装置。
【請求項１８】
前記ビデオ格納制御部は、前記広告コンテンツの個々のインスタンスの予想される発生時刻前後に定義された時間窓中に、前記ビデオストリームの２つのシーケンシャルなフレームの間で生じる場面コンテンツの変化を示すしきい値量に応じて、前記受信したビデオストリーム内の前記広告コンテンツの個々のインスタンスの前記位置を特定するようにさらに構成されることを特徴とする請求項１乃至１７のいずれか１項に記載の電子装置。
【請求項１９】
前記ビデオ格納制御部は、前記広告コンテンツの第１のインスタンスの前記位置を特定すると共に、前記広告コンテンツの前記第１のインスタンスの前記特定された位置から離れた、後続の時間窓の開始位置を定義された時間間隔として次いで決定するようにさらに構成され、かつ、前記時間窓の開始位置は、前記広告コンテンツの第２のインスタンスを探索するために前記ビデオ格納制御部により使用されることを特徴とする請求項１８に記載の電子装置。
【請求項２０】
前記ビデオ格納制御部は、前記ビデオストリーム用の識別子と、前記関連するアドレス指定可能な見出しマークを含むメッセージとを生成し、かつ、前記アドレス指定可能な見出しマークと共に前記ビデオストリームを表示する際に用いるための前記メッセージを外部ネットワークを介して別の電子装置へ送信するようにさらに構成されることを特徴とする請求項１乃至１９のいずれか１項に記載の電子装置。
【発明の詳細な説明】
【技術分野】
【０００１】
本発明は一般に、放送用ビデオの分野に関し、特に、無線通信端末及びその他の電子装置での放送番組及び映画ビデオの視聴の分野に関する。
【背景技術】
【０００２】
放送された番組及び映画をソースとする多種多様のビデオの配信形態が出現している。例えば、テレビ放映された番組及び映画が、無線地上テレビサービスプロバイダ、衛星テレビサービスプロバイダ及びインターネットベースのテレビプロバイダから利用可能であることは現在普通のことになっている。テレビで放映されるショー番組、劇場映画、ニュース、音楽、その他のコンテンツを制限なく含む番組並びに映画を広い地理上の領域にわたって同時に放送するか、特定の受信機へオン・デマンドで放送するかの少なくともいずれかの放送を行うことも可能である。受信した番組や映画を後で再生して視聴するための多くの録画用電子装置を入手することも可能である。
【０００３】
例えばデジタルテレビ受信機を介して提供されるか、高帯域幅無線トランシーバ及びネットワークサーバを介してダウンロード可能なビデオストリームとして提供されるかのいずれかの態様で、放送番組及び映画を放送用送信機から受信する機能が、携帯電話機のような無線モバイル端末にますます提供されるようになりつつある。受信した番組／映画ビデオの少なくとも一部を保存できるいくつかの無線モバイル端末を入手することも可能である。
【０００４】
モバイル端末の機能及び通信技術の進歩によって、放送番組及び映画をユーザのモバイル端末を介して取得する機能がさらに多くのユーザに提供されているとはいえ、これらの機能が採用されるスピードは遅くなり続けるかもしれない。その理由として、例えば、保存されているビデオ内の位置への貧弱なナビゲーション補助装置に起因してユーザが味わう失望、並びに、保存されているビデオ内の番組／映画コンテンツ間に散在している広告コンテンツから生じる頻繁な中断が挙げられる。
【発明の概要】
【発明が解決しようとする課題】
【０００５】
本発明の種々の実施形態によって、ビデオ格納メモリ、ビデオ信号受信機及びビデオ格納制御部を含む電子装置が提供される。ビデオ信号受信機は、広告コンテンツ及び番組／映画コンテンツを含むビデオストリームを放送ソースから受信するように構成される。ビデオ格納制御部は、番組／映画コンテンツ間に散在している広告コンテンツの位置を上記受信したビデオストリームにおいて特定し、かつ、広告コンテンツの上記特定された位置に対応するアドレス指定可能な見出しマークと、上記受信したビデオストリームに基づくビデオストリームとをメモリの中へ保存するように構成される。上記アドレス指定可能な見出しマークをディスプレイに表示し、かつ、視聴者がこれらの見出しマークを利用してビデオストリームの再生をこれら見出しマーク間でジャンプさせることが可能である。
【課題を解決するための手段】
【０００６】
いくつかの別の実施形態では、ビデオ格納制御部は、ビデオストリームを含む同一のメモリファイル内に保存されているアドレスルックアップテーブル内に上記アドレス指定可能な見出しマークを挿入するようにさらに構成される。
【０００７】
いくつかの別の実施形態では、ビデオ格納制御部は、上記受信したビデオストリームの広告コンテンツの個々のインスタンスを除去し、該インスタンスを、アドレス指定可能な見出しマークのうちの対応する１つの見出しマークと置き換えて、メモリの中へ保存される修正ビデオストリームを生成するようにさらに構成される。
【０００８】
いくつかの別の実施形態では、ビデオ格納制御部は、受信したビデオストリームの番組／映画コンテンツ部分に組み込まれたサブタイトルテキストであって、特定された広告コンテンツ位置の各々を基準として、定義された再生時間の範囲内に配置されているサブタイトルテキストを抽出すると共に、ビデオストリームと共にメモリの中へ保存されるアドレス指定可能な見出しマークの一部として、上記抽出されたサブタイトルテキストを挿入するようにさらに構成される。
【０００９】
いくつかの別の実施形態では、ビデオ格納制御部は、再生が次に生じるアドレス指定可能な当該見出しマークに達する前に、次に生じるアドレス指定可能な見出しマークに対応する抽出されたサブタイトルテキストをビデオストリームの再生中にディスプレイ上に表示するステップを開始するようにさらに構成される。
いくつかの別の実施形態では、ビデオ格納制御部は、広告コンテンツの上記特定された位置の各々に後続するビデオストリームの番組／映画コンテンツ部分のビデオフレームのスナップショットをキャプチャするように構成されると共に、ビデオストリームと共にメモリの中へ保存されるアドレス指定可能な見出しマークの一部として、上記キャプチャされたスナップショットを挿入するようにさらに構成される。
【００１０】
いくつかの別の実施形態では、ビデオ格納制御部は、再生が次に生じるアドレス指定可能な当該見出しマークに達する前に、次に生じるアドレス指定可能な見出しマークに対応するキャプチャされたスナップショットをビデオストリームの再生中にディスプレイ上に表示するステップを開始するようにさらに構成される。
【００１１】
いくつかの別の実施形態では、ビデオ格納制御部は、メモリの中へ保存されるビデオストリームをビデオディスプレイ上へ再生するように構成され、ビデオストリームを再生する長さを指示すると共に、再生タイムライン内に現在の再生位置を指示する指示マークが含まれた再生タイムラインをディスプレイ上に表示するように構成され、かつ、ビデオストリームの再生タイムライン内の指示マークの相対位置に比例する間隔を指示マーク間に有する少なくとも複数のアドレス指定可能な見出しマークを再生タイムライン上に表示するようにさらに構成される。
【００１２】
いくつかの別の実施形態では、ビデオ格納制御部は、アドレス指定可能な見出しマークのうちの選択された見出しマークによって定義された位置までビデオストリーム内の再生位置をジャンプすることによって、視聴者見出し選択信号に応答するようにさらに構成される。
【００１３】
いくつかの別の実施形態では、ビデオ格納制御部は、アドレス指定可能な見出しマークのうちの順序付けられたシーケンシャルなマークによって定義された、ビデオストリーム内のシーケンシャルに発生する時間位置のうちの１つの別の時間位置まで再生位置をジャンプすることによって視聴者見出し選択信号の個々の発生に応答するようにさらに構成される。
【００１４】
いくつかの別の実施形態では、ビデオ格納制御部は、メモリに保存されたビデオストリームの番組／映画コンテンツ部分に組み込まれたサブタイトルテキストであって、表示されたアドレス指定可能な見出しマークのうちの次の再生が行われることを示す１つの見出しマークを基準として、定義された再生時間の範囲内に配置されているサブタイトルテキストを抽出すると共に、再生が次に生じる表示されたアドレス指定可能な当該見出しマークに達する前に、上記抽出されたサブタイトルテキストの表示を開始するようにさらに構成される。
【００１５】
いくつかの別の実施形態では、サブタイトルテキストは、メモリに保存されたビデオストリームの番組／映画コンテンツ部分に組み込まれたクローズドキャプションテキストを含むと共に、ビデオ格納制御部は、表示されたアドレス指定可能な見出しマークのうちの次の再生が行われることを示す１つの見出しマークの前に生じるクローズドキャプションテキストの定義された語数を抽出し、該語数をビデオディスプレイ上に表示するようにさらに構成される。
【００１６】
いくつかの別の実施形態では、ビデオ格納制御部は、メモリに保存されたビデオストリームの番組／映画コンテンツ部分に組み込まれたサブタイトルテキストであって、複数の表示されたアドレス指定可能な見出しマークを基準として、定義された再生時間の範囲内に配置されているサブタイトルテキストを抽出すると共に、上記複数の表示されたアドレス指定可能な見出しマークに対応する抽出されたサブタイトルテキストをディスプレイ上に表示するようにさらに構成される。
【００１７】
いくつかの別の実施形態では、ビデオ格納制御部は、上記表示されたアドレス指定可能な見出しマークに隣接してディスプレイ上に順序付けられた複数の表示されたアドレス指定可能な見出しマークに関連する抽出されたサブタイトルテキストを表示するようにさらに構成される。
【００１８】
いくつかの別の実施形態では、抽出されたサブタイトルテキストは、メモリに保存されたビデオストリームに組み込まれたクローズドキャプションテキストを含むと共に、ビデオ格納制御部は、複数の表示されたアドレス指定可能な見出しマークに後続して生じるクローズドキャプションテキストの定義された語数を抽出し、この語数をビデオディスプレイ上に表示するようにさらに構成される。
【００１９】
いくつかの別の実施形態では、ビデオ格納制御部は、表示されたアドレス指定可能な見出しマークのうちの次の再生が行われることを示す１つの見出しマークに後続するビデオストリームの番組／映画コンテンツ部分のビデオフレームのスナップショットをキャプチャするように構成され、かつ、再生が次に生じる表示された当該アドレス指定可能な見出しマークに達する前に、キャプチャされたスナップショットの表示を開始するようにさらに構成される。
【００２０】
いくつかの別の実施形態では、ビデオ格納制御部は、表示されたアドレス指定可能な見出しマークの各々に後続するビデオストリームの番組／映画コンテンツ部分のビデオフレームのスナップショットをキャプチャすると共に、複数の表示されたアドレス指定可能な見出しマークに対応する上記キャプチャされたスナップショットをビデオディスプレイ上に表示するようにさらに構成される。
【００２１】
いくつかの別の実施形態では、ビデオ格納制御部は、広告コンテンツの個々のインスタンスの予想される発生時刻前後に定義された時間窓中に、ビデオストリームの２つのシーケンシャルなフレームの間で生じる場面コンテンツの変化を示すしきい値量に応じて、受信したビデオストリーム内の広告コンテンツの個々のインスタンスの位置を特定するようにさらに構成される。
【００２２】
いくつかの別の実施形態では、ビデオ格納制御部は、広告コンテンツの第１のインスタンスの位置を特定すると共に、次いで、広告コンテンツの第１のインスタンスの特定された位置から離れた、後続の時間窓の開始位置を定義された時間間隔として決定するようにさらに構成される。上記時間窓の開始位置は、広告コンテンツの第２のインスタンスを探索するためにビデオ格納制御部により利用されることになる。
【００２３】
いくつかの別の実施形態では、ビデオ格納制御部は、ビデオストリーム用の識別子と、関連するアドレス指定可能な見出しマークを含むメッセージとを生成し、かつ、アドレス指定可能な見出しマークと共にビデオストリームを表示する際に用いるメッセージを外部ネットワークを介して別の電子装置へ送信するようにさらに構成される。
【００２４】
実施形態例に係る他の装置、システム、方法、コンピュータプログラム製品のうちの少なくともいずれかは、以下の図面及び詳細な説明を検討するとき当業者には明らかであり、あるいは明らかになる。すべてのこのような追加のシステム、方法、コンピュータプログラム製品のうちの少なくともいずれかは、上記説明の中に含まれ、本発明の範囲内に属し、さらに、添付の特許請求の範囲によって保護されることが意図される。
【００２５】
以下では、本発明についてさらなる理解が得られるように、本願の一部に含まれ、本願の一部に組み入れられ、本願の一部を構成する添付図面によって本発明のある実施形態を例示する。
【図面の簡単な説明】
【００２６】
【図１】本発明のいくつかの実施形態に係る無線放送事業者と番組／映画サーバの少なくともいずれかから放送番組／映画を受信できる無線移動通信端末を示すシステム線図である。
【図２】本発明のいくつかの実施形態に係る図１のモバイル端末のブロック図である。
【図３】図１のモバイル端末を例示すると共に、本発明のいくつかの実施形態に係る特定された広告コンテンツの位置を基準として表示される、保存済みビデオの再生タイムラインと見出しマークとの表示を示す。
【図４】図１のモバイル端末を例示すると共に、本発明のいくつかの実施形態に係る特定された広告コンテンツの位置に隣接する番組／映画コンテンツから抽出された、保存済みビデオの再生タイムライン、見出しマーク、及び、関連するサブタイトルテキストの表示を示す。
【図５】図１のモバイル端末を例示すると共に、本発明のいくつかの実施形態に係る特定された広告コンテンツの位置を基準として表示される、保存済みビデオの再生タイムラインと、見出しマークと、関連するビデオフレームのスナップショットとの表示を示す。
【図６】ビデオストリーム及び関連する時間窓のタイムラインを示す図であり、このタイムラインの中で、モバイル端末は、本発明のいくつかの実施形態に従って受信と保存の少なくともいずれかが行われるビデオストリーム内に在る広告コンテンツの位置を探索する。
【図７】ビデオストリーム及び関連する時間窓の別のタイムラインを示す図であり、このタイムラインの中で、モバイル端末は、本発明のいくつかの実施形態に係る受信と保存の少なくともいずれかが行われるビデオストリーム内に在る広告コンテンツの位置を探索すると共に、さらに、このタイムラインの中で、時間窓は、本発明のいくつかの実施形態に係る広告コンテンツの１以上のインスタンスの位置の特定に応じて動的にシフトされる。
【発明を実施するための形態】
【００２７】
次に添付図面を参照しながら本発明の種々の実施形態についてさらに詳細に説明する。しかしながら、本発明は本書面に記載の実施形態に限定されると解釈すべきではない。むしろこれらの実施形態は、本開示が完全であり完璧であって、本発明の範囲を当業者に伝えるために提供されるものである。
【００２８】
本明細書で使用されているように、「を備えている（comprising）」又は「を備える（comprises）」という用語はオープンエンドスタイルの用語であって、１以上の記載された要素と、ステップと、機能との少なくともいずれかを含むものであるが、１以上の記載されていない要素と、ステップと、機能とのうちの少なくともいずれかを除外するものではないことは理解されよう。本明細書において使用されているように、文脈が別様に明示していない限り、単数形を示す「ａ」、「ａｎ」及び「ｔｈｅ」は複数形も同様に含むことを意図するものである。「と〜とのうちの少なくともいずれか（and/or）」という用語及び「／」は、１以上の関連付けられ、リストされた項目のうちの任意の、及び、すべての組み合わせを含むものである。図面では、分かりやすくするために領域のサイズ及び相対的サイズが誇張されている場合がある。同一の番号は図面の説明を通じて同一の要素を示すものとする。
【００２９】
いくつかの実施形態は、ハードウェアと、（ファームウェア、常駐ソフトウェア、マイクロコード等を含む）ソフトウェアとの少なくともいずれかの形で実現することができる。したがって、本書面において用いられているように、「信号」という用語は、メモリ又はレジスタ内の（単複の）デジタル値のような連続波の形と（単複の）離散値の形の少なくともいずれかの形をとり得る。さらに、種々の実施形態は、命令実行システムによって又は命令実行システムに関連して用いられる媒体に組み込まれた、コンピュータで使用可能な又はコンピュータで読み取り可能なプログラムコードを有する、コンピュータで使用可能な又はコンピュータで読み取り可能な記憶媒体に保存されたコンピュータプログラム製品の形をとり得る。したがって、本書面において用いられているように、「回路」及び「コントローラ」という用語は、（汎用マイクロプロセッサとデジタル信号プロセッサの少なくともいずれかのような）（単複の）命令処理装置によって実行されるコンピュータ可読プログラムコードのようなデジタル回路と、アナログ回路とのうちの少なくともいずれかの回路の形をとることも可能である。
【００３０】
ブロック図と処理フローチャート図に関連して、以下実施形態について説明する。理解すべきことであるが、上記ブロックに記載されているこの機能／動作は動作説明図に記載されている順序とは異なる順序で行われる場合もある。例えば、連続して示される２つのブロックを実際にはほぼ同時に実行してもよいし、あるいは、関係する機能／動作に応じて逆の順序でこれらのブロックを実行することも時としてある。線図のうちのいくつかには通信路上に情報伝達の主方向矢印が含まれてはいるが、描かれている矢印に対して逆方向に通信が行われ得ることを理解されたい。
【００３１】
ほとんどのテレビ番組や多くの映画は、これらの番組や映画の中に広告用の中断部分を容易に挿入できるように記述及びフィルム処理が施される。これは広告を入れることが多数の放送事業者からの要求条件になっているためである。番組／映画に対する視聴者の関心を保持すると共に、広告に後続する番組／映画の連続性を容易に知覚できるようにするために、番組／映画は、個々の予想される広告による中断の前にクライマックスに達するようなプロット展開が行われ、次いで、新たな次の個々の予想される広告による中断を開始するプロット展開によって脚本が書かれている場合が多い。したがって物語の中の自然な中断ポイントが広告による中断時に形成されるのが一般的である。
【００３２】
視聴者が番組／映画の視聴中に直接かつ容易にアクセスし、ステップできるように所望する位置に広告による中断が対応できるという理解から本発明の様々な実施形態が生じる可能性がある。したがって、本発明の様々な実施形態は、保存された番組／映画内において特定された広告コンテンツの位置に基づいて作成された見出しマークを含むタイムラインに沿って、保存された番組／映画を観ている人による再生位置へのジャンプを可能にすることを目的とするものである。
【００３３】
本発明の様々な実施形態は無線モバイル端末に関連して説明されるものではあるが、これに限定されるものではない。それどころか、本発明は、広告コンテンツと番組／映画コンテンツとを含むビデオストリームの受信、保存、及び再生を行うように構成された本発明の任意の電子装置に対して適用され得るものである。
【００３４】
本書面で用いられているように、「無線移動端末」又は省略された「端末」という用語には、セルラインタフェースなどのような長距離無線インタフェースを用いるか、ブルートゥース（登録商標）無線インタフェースなどのような短距離無線インタフェースと、ＩＥＥＥ８０１．１１ａ−ｇのような無線ローカルエリアネットワーク（ＷＬＡＮ）インタフェースと、別の無線周波数（ＲＦ）インタフェースとを介するかの少なくともいずれかの手段で通信信号の送受信を行うように構成された任意の電子装置が含まれている（但しこのような電子装置のみに限定されるわけではない）。端末例としては、セルラ電話機、ＰＤＡ、及び、セルラ通信ネットワーク、ブルートゥース（登録商標）通信ネットワーク、ＷＬＡＮ通信ネットワーク、別のＲＦ通信ネットワークのうちの少なくともいずれかを介して他の通信装置と通信を行うように構成された携帯用コンピュータが含まれているが、このようなコンピュータのみに限定されるわけではない。
【００３５】
図１は、衛星／地上送信機１１０を介して無線放送事業者から得られるか、本発明のいくつかの実施形態に係る番組／映画のメディアサーバ１２０から得られるかの少なくともいずれかから得られる放送番組／映画のビデオストリームを受信することができる無線移動通信端末１００を示すシステム線図である。ビデオストリームは、（衛星／無線／ケーブルサービスエリアなどの）地理上のエリアにわたって放送されるか、特定の加入者に対してオン・デマンドで放送されるかの少なくともいずれかの形で放送され得るものである。
【００３６】
端末１００は、接続を行って、セルラ基地局トランシーバ１３０、セルラネットワーク１３２、及び、専用／公開ネットワーク（インターネットなど）１４０を介してメディアサーバ１２０からビデオストリームをダウンロードすることができる。上記とは別に、又は、上記に加えて、端末１００はＷＬＡＮルータ／ブルートゥース（登録商標）通信１５０を経由してビデオストリームをダウンロードすることができる。メディアサーバ１２０は、端末１００によって要求される番組／映画ストリームをデータファイルとして端末１００へダウンロードすることができるか、例えば、リアルタイムストリーミングプロトコル（ＲＴＳＰ）ＩＥＴＦのＲＦＣ２３２６とＲＦＣ３５５０の少なくともいずれかを用いて番組／映画ストリームを端末１００へストリームすることができるかの少なくともいずれかを行うことができる。
【００３７】
端末１００はまた、ＷＬＡＮ１５０とブルートゥース（登録商標）ネットワークの少なくともいずれかのようなセルラトランシーバ１３０と、（通信用の）短距離無線通信ネットワークとのうちの少なくともいずれかを経由して他の端末装置１６０と通信を行うようにしてもよい。
【００３８】
図２は本発明のいくつかの実施形態に係る図１のモバイル端末１００のブロック図である。図２を参照してわかるように、端末１００は、無線ＲＦトランシーバ２１０、マイク２２０、スピーカ２２４、ビデオディスプレイ２２８、（キーパッド／キーボード／タッチ式インタフェース／ユーザ選択可能ボタンなどの）ユーザ入力インタフェース２３０、ビデオ制御部２４０、放送メディア受信機２５０、ビデオ格納メモリ２６０を含んでもよい。
【００３９】
例示及び解説を容易にするために、別々に定義された種々の要素と共に例示の端末装置１００を図２に示したが、本発明はこれに限定されるものではないことを理解されたい。それどころか、別々の機能要素の中の本書面に記載の様々な機能を単一の機能要素と組み合わせることが可能であると共に、この逆すなわち、単一の機能要素内の本書面に記載の機能もまた同様に複数の別々の機能要素によって実行することも可能である。
【００４０】
放送メディア受信機２５０は、（図１の送信機１１０などの）地上と衛星の少なくともいずれかの送信機から無線で放送番組／映画ビデオを受信するように構成されると共に、例えば（高品位受信機チューナなどの）デジタルテレビ受信機を含むことができる。
【００４１】
例示のＲＦトランシーバ２１０は、セルラトランシーバ２１２と、（１以上のＩＥＥＥ８０１．１１ａ−ｇ規格に準拠するような）ＷＬＡＮトランシーバ２１４と、ブルートゥース（登録商標）トランシーバ２１６とのうちの少なくともいずれかを含んでもよい。セルラトランシーバ２１２は、例えば、汎欧州デジタル移動電話方式（ＧＳＭ）通信と、汎用パケット無線サービス（ＧＰＲＳ）と、次世代ＧＳＭ用拡張型データレート（ＥＤＧＥ）と、統合デジタル強化ネットワーク（ｉＤＥＮ）と、符号分割多元接続（ＣＤＭＡ）と、広帯域ＣＤＭＡと、ＣＤＭＡ２０００と、汎用移動体通信システム（ＵＭＴＳ）とのうちの少なくともいずれかのような１以上のセルラ通信プロトコルを用いて、メディアサーバ１２０から得られる番組／映画のビデオストリームを受信するためにセルラトランシーバ１３０と通信を行うことができる。
【００４２】
ビデオ制御部２４０は、ビデオ広告識別ユニット２４２、見出しマーク(Chapter Mark)挿入ユニット２４４、及びビデオ格納／再生ユニット２４６を含む。格納／再生ユニット２４６は、放送メディア受信機２５０とＲＦトランシーバ２１０の少なくともいずれかを介して受信されたビデオストリームをビデオ格納メモリ２６０の中へ格納することによって、デジタルビデオのレコーダ機能を提供すると共に、格納されているビデオを読み出し、このビデオをディスプレイ２２８上へ再生するように構成される。ビデオ格納メモリ２６０は（フラッシュメモリなどの）不揮発性半導体メモリと、磁気／光学式ハードディスクとの少なくともいずれかのような単一の記憶装置又はある階層から成る記憶装置を含んでもよい。
【００４３】
広告コンテンツと番組／映画コンテンツとは、受信した放送番組／映画のビデオストリーム内において交互に反復して生じ得るものとなる。広告識別ユニット２４２は、受信したビデオストリームにおいて番組／映画コンテンツ間に散在している広告コンテンツの位置を特定するように構成される。見出しマーク挿入ユニット２４４は、広告コンテンツの上記特定された位置に対応する位置にアドレス指定可能な見出しマークを生成するように構成される。見出しマーク挿入ユニット２４４は、ビデオ記憶モジュール２４６に対し、上記生成されたアドレス指定可能な見出しマークをメモリ２６０の中へ保存させる。以下さらに説明するように、見出しマークはアドレス指定可能なマークと呼ばれている。その理由として、これらの見出しマークが保存済みビデオストリームの範囲内に位置を特定する役割を果たし、このビデオストリームの範囲内で再生をジャンプして、そのジャンプ先から再生を行わせることができるということが挙げられる。
【００４４】
見出しマーク挿入ユニット２４４は、受信されたビデオストリームの広告コンテンツの個々のインスタンスを除去し、アドレス指定可能な見出しマークのうちの対応する１つの見出しマークと上記インスタンスを置き換えて、修正されたビデオストリームを生成するように構成できる。ビデオ記憶／再生ユニット２４６はこの修正されたビデオストリームを、メモリ２６０へ記録することができる。上記とは別に、又は、上記に加えて、見出しマーク挿入ユニット２４４は、広告コンテンツの個々のインスタンスの終了／開始位置に隣接する位置にアドレス指定可能な見出しマークをビデオストリームの中へ挿入して、修正されたビデオストリームを生成することができる。いくつかの別の実施形態では、見出しマーク挿入ユニット２４４は、ビデオストリームを含むメモリ２６０内の同じメモリファイル内に保存されているアドレスルックアップテーブルの中へ上記見出しマークを挿入することができる。
【００４５】
いくつかの別の実施形態では、見出しマーク挿入ユニット２４４は、受信したビデオストリームの番組／映画コンテンツ部分に組み込まれたサブタイトルテキストであって、特定された広告コンテンツ位置の各々を基準として、定義された再生時間と、定義されたワード数とのうちの少なくともいずれかの範囲内に配置されているサブタイトルテキストを抽出するようにさらに構成される。上記抽出されたサブタイトルテキストは、ビデオストリームのオーディオ部分内に組み込まれたクローズドキャプションデータコンテンツに対応することができる。見出しマーク挿入ユニット２４４は、ビデオストリームと共にメモリ２６０の中へ保存されたアドレス指定可能な見出しマークの一部として、抽出されたサブタイトルテキストを挿入することができる。
【００４６】
いくつかの別の実施形態では、見出しマーク挿入ユニット２４４は、上記特定された広告コンテンツ位置の各々に後続するビデオストリームの番組／映画コンテンツ部分のビデオフレームのスナップショットをキャプチャするようにさらに構成される。見出しマーク挿入ユニット２４４は、ビデオストリームと共にメモリ２６０中へ保存されたアドレス指定可能な見出しマークの一部としてキャプチャされたスナップショットを挿入することができる。
【００４７】
いくつかの別の実施形態では、ビデオ格納／再生モジュール２４６は、メモリ２６０中へ保存された保存済みビデオストリームをビデオディスプレイ２２８上へ再生するように構成される。ビデオ格納／再生モジュール２４６は、ビデオストリームの開始及び終了表示マーク、並びに、開始及び終了表示マークの間にある、タイムライン内の現在位置に対応する現在位置表示マークを含むタイムラインをディスプレイ２２８上に表示し、かつ、ビデオストリームの再生タイムライン内におけるそれらの相対位置に比例する距離の分だけ隔置された少なくとも複数のアドレス指定可能な見出しマークをタイムライン上に表示するようにさらに構成される。保存済みビデオの再生中に用いることができる表示構成の実施形態例を図３に示す。
【００４８】
図３は、ビデオストリームの再生中にビデオ格納／再生モジュール２４６によってディスプレイ２２８上に表示できる例示のグラフィックを示す図である。表示されたグラフィックはビデオ再生タイムライン３００を含む。タイムライン３００は、ビデオストリームの開始点及び終了点に対応することができる開始及び終了表示マークを含む。再生が進むにつれて、現在位置表示マーク３２０はタイムライン３００に沿って移動され、ビデオストリームのうちのそれまでの視聴量及びこれから視聴する残りの量が視聴者へ視覚的に伝えられる。
【００４９】
見出しマーク３１０は、ビデオストリーム内の特定された広告コンテンツを基準として定義された位置にタイムライン３００に沿って表示される。例えば、受信したビデオストリーム内の広告コンテンツの個々のインスタンスの位置の終了と開始の少なくともいずれかに対応する、タイムライン３００上の位置に個々の見出しマークを表示することができる。上記とは別に、又は、上記に加えて、メモリ２６０から読み出されたビデオストリーム内の広告コンテンツの個々のインスタンスの終了位置と開始位置の少なくともいずれかに対応する、タイムライン３００上の位置に個々の見出しマークを表示することができる。したがって見出しマーク間の間隔は、ビデオストリームの再生タイムラインの範囲内の特定された広告コンテンツの相対位置に比例することになる。
【００５０】
ビデオ格納／再生モジュール２４６は、アドレス指定可能な見出しマークのうちの選択されたマークによって定義された位置までビデオストリーム内の再生位置をジャンプすることによって視聴者のユーザ入力インタフェース２３０の起動により作成される視聴者の見出し選択信号に応答する。例えば、視聴者は、ビデオストリーム再生位置を時間的に先方へジャンプするために、例示のジョグダイアルの右側３３０を反復選択して、シーケンシャルに順序付けられたアドレス指定可能な見出しマーク３１０によって定義された、連続して将来発生する時間位置の再生を生じさせるようにすることができる。同様に、視聴者は、ビデオストリーム再生位置を時間的に後方へジャンプするために、例示のジョグダイアルの左側３４０を反復して選択して、シーケンシャルに順序付けられたアドレス指定可能な見出しマーク３１０によって定義された、連続して以前に発生した時間位置の再生を生じさせるようにすることができる。
【００５１】
見出しマーク挿入ユニット２４４は、メモリ２６０に保存されているビデオストリームの番組／映画コンテンツ部分に組み込まれたサブタイトルテキストであって、ビデオの受信中か、録画ビデオの再生中かの少なくともいずれかが行われている間に、定義された再生時間と、定義されたワード数との少なくともいずれかの範囲内に、表示されたアドレス指定可能な見出しマークのうちの次に発生する見出しマークを基準として配置されているサブタイトルテキストを抽出することができる。ビデオ格納／再生モジュール２４６は、再生が次に生じる表示されたアドレス指定可能な当該見出しマークに達する前に、抽出されたサブタイトルテキストの表示を開始することができる。
【００５２】
このようにして、図３の実施形態例を参照してわかるように、見出しマーク挿入ユニット２４４は、ビデオストリームの５秒の部分からと、再生中に現在位置表示マーク３２０が次に達することになる見出しマーク３１０ａの直後に生じる１０ワードからとのうちの少なくともいずれかからサブタイトルテキスト３５０を抽出することが可能になる。ビデオ格納／再生モジュール２４６は、現在位置表示マーク３２０が次に生じる見出しマーク３１０ａに達する前に、サブタイトルテキスト３５０の表示を開始することができる。
【００５３】
このようにして、ビデオを視聴するユーザは、抽出されたサブタイトルテキスト３５０を読み、かつ、現在の再生位置を次に生じる見出しマーク３１０ａ又は別の後続する見出しマークへ進めるべきかどうかを判断することが可能になる。したがって、例えば、サブタイトルテキスト３５０がビデオストリームの広告部分に対応するように思われるとき、ジョグダイアルの右側３３０を押すことによって視聴者は次の見出しマーク３１０ａまでスキップすることができる。同様に、ユーザが望まない広告を視聴していて、かつ、サブタイトルテキスト３５０がビデオストリームの所望の番組／映画部分に対応しているように思われるとき、視聴者は次の見出しマーク３１０ａまでスキップして、見出しマーク３１０ａよりも前に生じる現在の広告及びそれ以降の広告の残り部分をスキップすることができる。
【００５４】
図４は、ビデオディスプレイ２２８の別の実施形態を示すと共に、ビデオフレームの再生中に該ディスプレイに表示できるグラフィックを示す図である。図４を参照してわかるように、表示されたグラフィックには、ビデオ再生タイムライン４００、複数の見出しマーク４１０ａ−ｅ、及び現在位置表示マーク４２０が含まれている。上述のように、ビデオストリームの特定された広告コンテンツの個々のインスタンスの終了／開始位置を示すタイムライン４００に沿って見出しマーク４１０ａ−ｅの各々を相対位置に表示することができる。図３に示した表示とは対照的に、複数の表示されたアドレス指定可能な見出しマーク４１０ａ−ｅを基準として抽出されたサブタイトルテキストが、対応する表示されたアドレス指定可能な見出しマーク４１０ａ−ｅの各々に隣接して（下部などに）ディスプレイ２２８に表示されている。
【００５５】
したがって、例えば、定義された時間長と、第１の見出しマーク４１０ａの直前と直後の少なくともいずれかにある定義されたワード数との少なくともいずれかに関連付けられた、抽出されたサブタイトルテキストは第１の見出しマーク４１０ａの下に表示されることになる。同様に、定義された時間長（例えば４秒など）と、第２の見出しマーク４１０ｂの直前と直後の少なくともいずれかにある定義されたワード数（例えば５ワードなど）の少なくともいずれかに関連付けられた、抽出されたサブタイトルテキストが第１の見出しマーク４１０ｂの下に表示されることになる。このようにして、第３〜第５の見出しマーク４１０ｃ−ｅの前と後の少なくともいずれかにおいて抽出されたサブタイトルテキストはそれぞれの第３〜第５の見出しマーク４１０ｃ−ｅの下に表示される。したがって、ビデオを視聴している視聴者は、見出しマーク４１０ａ−ｅの各々に関連付けられた、抽出されたサブタイトルテキストを読むことが可能になると共に、視聴者が現在の再生位置から、見出しマーク４１０ａ−ｅのうちの以前又は以後に生じるマークまでジャンプすることを望んでいるかどうかの判断を該サブタイトルテキストから行うことが可能になる。
【００５６】
図５は、ビデオディスプレイ２２８の別の実施形態を示すと共に、ビデオフレームの再生中に該ディスプレイに表示できるグラフィックを示す。図５を参照してわかるように、表示されたグラフィックには、図４に関して示し、かつ、上述したビデオ再生タイムライン４００、複数の見出しマーク４１０ａ−ｅ、及び現在位置表示マーク４２０が含まれている。図５のグラフィックは、表示されたアドレス指定可能な見出しマーク４１０ａ−ｅの各々に後続するビデオストリームの番組／映画コンテンツ部分のビデオフレームのスナップショットの図５の表示によって、図４のグラフィックとは異なっている。これらのスナップショットは、対応する表示されたアドレス指定可能な見出しマーク４１０ａ−ｅの各々に（下部などに）隣接するディスプレイ２２８に表示することができる。
【００５７】
したがって、例えば第１の見出しマーク４１０ａに後続して生じるビデオフレームのスナップショット５００ａは第１の見出しマーク４１０ａの下に表示されることになる。同様に、第２の見出しマーク４１０ｂに後続して生じるビデオフレームのスナップショット５００ｂは第１の見出しマーク４１０ａの下に表示されることになる。このようにして、第３〜第５の見出しマーク４１０ｃ−ｅに後続するスナップショット５００ｃ−ｅはそれぞれの第３〜第５の見出しマーク４１０ｃ−ｅの下に表示される。したがって、ビデオを視聴しているユーザは、表示された見出しマーク４１０ａ−ｅの各々に後続するビデオの一部から得られるスナップショット写真５００ａ−ｅを視覚的に観察することが可能になると共に、視聴者が現在の再生位置から、見出しマーク４１０ａ−ｅのうちの以前又は以後に生じるマークまでジャンプすることを望むかどうかの判断をこれらのスナップショット写真から行うことが可能になる。
【００５８】
ディスプレイ２２８の領域が、ビデオストリームと、次に生じる表示されたアドレス指定可能な当該見出しマークに対応する複数のスナップショット５００ａ−ｅ（図３の小さめの表示など）とを適切に表示するには不十分な場合に有用なものになり得るいくつかの別の実施形態では、ビデオ格納／再生モジュール２４６は写真５００ａ−ｅのうちの１つだけを表示することができる。そのため、図５では、現在位置表示マーク４２０に隣接する次に生じる見出しマーク４１０ｄに後続することに起因して、スナップショット写真５００ｄが表示されることになる。
【００５９】
いくつかの別の実施形態では、ユーザがビデオ再生見出しマーク４１０ａ−ｅの過去のそれぞれの見出しマークの早送りと巻き戻しの少なくともいずれかを行った場合、スナップショット５００ａ−ｅのなかの種々のスナップショットを別々に表示することも可能である。したがって、例えば、ユーザが見出しマーク４１０ｂの定義された距離の範囲まで早送りするか、見出しマーク４１０ｂを交差したとき、スナップショット５００ｂを拡大して、スナップショット５００ｂがビデオ表示領域を満たすようにすることができる。
【００６０】
いくつかの別の実施形態では、スナップショット５００ａ−ｅは、反復回数を定義してからビデオクリップを反復することができる。そのため、例えば、ビデオクリップ５００ａは、定義された見出しマーク４１０ａまでの部分と、定義された見出しマーク４１０ａから後続する部分との少なくともいずれかの部分のビデオを５秒間反復して再生すると共に、それぞれの見出しマーク４１０ｂ−ｅと関連して時間的に定義されたビデオの長さの分だけ、その他のビデオクリップ５００ｂ−ｅを反復再生をすることが可能になる。
【００６１】
例示のスクリーンレイアウトを図５に示したが、本発明はこれに限定されるものではない。例えば、スナップショット５００ａ−ｅはグリッドを形成する行と列の形で表示してもよい。スナップショット５００ａ−ｅのうちの個々のスナップショットを個々に拡大（魚眼拡大）して、スクロールバーの拡大部に表示したり、表示されたビデオの一部にオーバーレイしたりすることができる。ビデオを表示するために用いられる表示領域を狭くして、１以上のスナップショット５００ａ−ｅを拡大表示するための空間を設けるようにしてもよい。
【００６２】
いくつかの別の実施形態では、広告識別ユニット２４０が受信したビデオストリームと、メモリ２６０から読み出したビデオストリームとの少なくともいずれかにおいて広告コンテンツの位置を特定できる精度と速度の少なくともいずれかは、定義された時間窓の範囲内を探索することにより改善することができる。広告コンテンツのインスタンスがビデオストリーム内で生じることが予想される予想時刻の前後に時間窓は定義される。図６を参照しながら広告識別ユニット２４０の動作例について以下説明する。
【００６３】
図６を参照してわかるように、ビデオタイムライン６００上にオーバーレイされた複数の時間窓６１０ａ、６１０ｂ、６１０ｃと共にビデオタイムライン６００が示されている。時間窓６１０ａ−ｃは、ビデオストリーム中に広告コンテンツの発生が予想される場所に個々に対応する。１５分毎のような周期的に離間して配置された間隔で広告コンテンツの発生が予想される場合であっても、広告コンテンツの開始と終了の少なくともいずれかの正確な位置を時間中変更することは可能である。なぜなら、放送サービスプロバイダは、広告コンテンツの開始点をシフトして、広告コンテンツが自然に生じる場面変化の終了に対応するか、番組／映画の場面内の俳優間の対話の終了時に対応するかの少なくともいずれかに対応するようにすることができるからである。したがって、時間窓６１０ａ-ｃは広告コンテンツのビデオストリームにおける開始時と終了時の少なくともいずれかにおいて生じる不確かさのレベルに基づいて定義することが可能である。
【００６４】
例えば、より正確に知られている周期的間隔で広告コンテンツの発生が予想されるとき、広告コンテンツの予想される開始／終了位置６２０ａ-ｃの個々の開始／終了位置の前後に時間窓６１０の幅を（数秒などの）比較的短く設定することができる。
【００６５】
広告識別ユニット２４２は、時間窓６１０ａ−ｃの各時間窓の範囲内で探索を行うことによって、広告コンテンツの個々のインスタンスの開始と終了の少なくともいずれかをさらに迅速かつ正確に特定して、場面コンテンツの変化がどこで生じたかを特定できると共に、場面コンテンツの変化を広告コンテンツの開始又は終了として定義することができる。広告識別ユニット２４２は、例えば、時間窓６１０ａ−ｃの範囲内に生じる黒いビデオフレームの特定に応じるか、現在のビデオフレームのコンテンツと、時間窓６１０ａ−ｃの範囲内に生じる前回のビデオフレームのコンテンツとの間のしきい値の変化量の特定に応じるかの少なくともいずれかに応じて、番組／映画コンテンツと広告コンテンツ間の推移を特定することができる（上記変化量はコンテンツの変化を特定するためにビデオフレームを比較するＭＰＥＧデコーダの出力側で測定することが可能である）。
【００６６】
いくつかの別の実施形態では、広告識別ユニット２４２は広告コンテンツの特定のために探索が行われる時間窓の位置を動的にシフトすることができる。広告識別ユニット２４２は、上記とは別に、又は、上記に加えて、ビデオストリーム内の広告コンテンツの１以上のインスタンスの位置の特定に応じて時間窓の幅を変動させることができる。図７を参照してわかるように、ビデオストリームのタイムラインが複数の時間窓７０２ａ、７０２ｂ、７０２ｃと共に示されている。広告識別ユニット２４２は、先頭のより広い時間窓７０２ａの範囲内で探索を行って、位置７１０ａにおいてビデオストリーム内の広告コンテンツの第１のインスタンスを特定することができる。位置７１０ａにおける第１のインスタンスの特定に応じて、広告識別ユニット２４２は、次いで以降の時間窓７０２ｂ及び７０２ｃ内の広告コンテンツの以降のインスタンスを探索することができる。
【００６７】
広告コンテンツの第１のインスタンスの特定された位置７１０ａからの定義された時間間隔７１２として、第２の時間窓７０２ｂの開始位置を決定することができる。特定された位置７１０ａを基準としてビデオストリーム内の広告コンテンツの次のインスタンス７１０ｂを決定できる確実性の増大に起因して、時間窓７０２ｂを時間窓７０２ａよりも狭くすることが可能になる。
【００６８】
同様に、時間窓７０２ｂ内の特定された広告コンテンツの特定された位置７１０ｂから、以降の時間窓７０２ｃの開始位置を定義された時間間隔７１６として決定することができる。広告コンテンツの前回特定された位置７１０ｂを基準として、ビデオストリーム内の広告コンテンツの次のインスタンス７１０ｃの位置の確実性の増大に起因して時間窓７０２ｃを時間窓７０２ｂよりも狭くすることが可能になる。
【００６９】
いくつかの別の実施形態では、広告識別ユニット２４２は、メモリ２６０から得られたビデオストリームの再生中に視聴者の行動を観察して、ビデオストリーム内の広告コンテンツの開始／終了の位置を決定することができる。例えば、視聴者が位置７１０ｂに対応する見出しマークまでジャンプし、次いで、再生を続ける前に、定義された距離だけ再生を巻き戻すと、広告識別ユニット２４２は、その巻き戻し行動から、その見出しマークの位置がビデオストリームの番組／映画コンテンツ部分の開始の右方向へ間違ってシフトされたと判断し、次いで、ほぼ定義された距離だけ左方向へ見出しマーク位置をシフトすることによって見出しマーク位置の修正を行うと共に、視聴者が巻き戻しを停止したおおよその位置に対応してビデオストリームの再生を続行するように図ることができる。
【００７０】
別の例によれば、視聴者が位置７１０ｂに対応する見出しマークまでジャンプし、次いで、通常の速度の再生を続ける前に、定義された距離だけ再生を早送りすると、広告識別ユニット２４２は、その早送り行動から、見出しマークの位置がビデオストリームの番組／映画コンテンツ部分の開始の左方向へ間違ってシフトされたと判断し、次いで、ほぼ定義された距離だけ右方向へ見出しマーク位置をシフトすることによって見出しマーク位置の修正を行うと共に、視聴者が早送りを停止したおおよその位置に対応してビデオストリームの通常の速度の再生を続行するように図ることができる。
【００７１】
いくつかの別の実施形態では、ビデオ制御部２４０は、図１に示す無線通信端末１６０のような別の通信装置と共に、特定された見出しマーク位置を共有するように構成される。ビデオ制御部２４０は、抽出されたサブタイトルテキストと、見出しマーク位置に関連するスナップショット写真との少なくともいずれかを相手方の通信装置とさらに共有することができる。例えば、ビデオ制御部２４０は、ビデオストリームを特定する識別情報（テレビのショー番組名と、エピソードと、映画の題名とのうちの少なくともいずれかなど）、アドレス指定可能な見出しマーク、抽出されたサブタイトルテキストと、見出しマークに関連するスナップショット写真とのうちの少なくともいずれかを含むメッセージを生成することができる。ビデオ制御部２４０は、セルラ基地局トランシーバ１３０とＷＬＡＮ／ブルートゥース（登録商標）ネットワーク１５０との少なくともいずれかを介して、生成されたメッセージをＲＦトランシーバ２１０を経由して相手方の端末１６０へ送信することができる。
【００７２】
上記とは別に、又は、上記に加えて、ビデオ制御部２４０は、インターネットによりアクセス可能なデータベースリポジトリのような集中型ネットワークデータベースの中に、特定された見出しマーク位置及び（スナップショット画像、サブタイトルテキストなどの）関連情報を保存することができる。このデータベースリポジトリから、他の通信装置によって上記マーク位置及び関連情報を検索したり、利用したりすることが可能になる。インターネットデータベースは、例えばインターネット映画データベース（ＩＭＤｂ）とグレースノートデータベースの少なくともいずれかを含んでもよい。このネットワークデータベース内の情報は、（上述したような）自動的にか、手動によるかの少なくともいずれかの手段によって見出しマーク及び関連情報を生成したユーザから発信されるような、複数の様々な通信装置ユーザからの発信の累積を通じて編集されている場合がある。一人のユーザによって発信された見出しマークは、別のユーザからの発信によって、編集、削除、追加のうちの少なくともいずれかを受ける場合がある。
【００７３】
この結果、ひとたび特定のビデオストリーム（すなわち特定のテレビショーや映画）に対して見出しマーク及び関連情報が定義されてしまうと、これらの見出しマーク及び関連情報は、該見出しマーク及び関連情報に保存されたビデオストリームの再生中に、該見出しマーク及び関連情報を利用できる他の通信装置と共有され得ることになる。
【００７４】
当業者には理解できると思われるが、本発明は、装置（端末、サーバ、システム）、方法、及びコンピュータプログラム製品として実施されてもよい。したがって、本発明は、完全にハードウェアの実施形態、ソフトウェアの実施形態、あるいは本書ではすべて一般に「回路」又は「モジュール」と呼ばれるソフトウェアとハードウェアの態様を組み合わせた実施形態の形をとることも可能である。理解されるように、本書面に記載のフローチャート図とブロック図の少なくともいずれかの各ブロック、並びに、フローチャート図とブロック図の少なくともいずれかの各ブロックの組み合わせがコンピュータプログラム命令によって実装されてもよい。これらのコンピュータプログラム命令は、コンピュータ又は他のプログラム可能なデータ処理装置のプロセッサを介して実行される命令が、フローチャートと、ブロック図の単複のブロックとの少なくともいずれかにおいて規定された機能／動作を実装する手段を作成するように、汎用コンピュータ、特殊用途コンピュータ、あるいはマシンを実現させるためのその他のプログラム可能なデータ処理装置のプロセッサに提供されてもよい。
【００７５】
これらのコンピュータプログラム命令は、ハードディスク、ＣＤ−ＲＯＭ、光記憶装置、あるいは集積回路メモリデバイスのような、コンピュータで読み取り可能な記憶媒体上に保存されてもよい。コンピュータで読み取り可能な記憶媒体に保存されたこれらのコンピュータプログラム命令は、コンピュータあるいは他のプログラム可能なデータ処理装置に対して、特定の方法で機能するように指示を与え、それによって、コンピュータで読み取り可能な記憶媒体に保存されたこれらの命令が、プロセッサによって実行されるとき、フローチャートと、単複のブロック図のブロックとの少なくともいずれかにおいて指定された機能／動作の実行命令を含む製造品目を生成することになる。
【００７６】
上記コンピュータプログラム命令はまた、コンピュータ又は他のプログラム可能なデータ処理装置にロードされると共に、これらによって実行されて、該コンピュータ又は他のプログラム可能な装置上で行うべき一連の処理ステップを行わせて、コンピュータにより実行される処理を生成するようにすることも可能であり、それによって、上記コンピュー又は他のプログラム可能な装置において実行する命令は、フローチャートのブロックと、ブロック図の単複のブロックの少なくともいずれかにおいて指定された機能／動作を実行するステップを提供することになる。
【００７７】
図面及び明細書において本発明の実施形態を開示した。ここでは特定の用語が採用されているが、それらはあくまで一般的かつ記述的な意味においてのみ使用されており、発明を限定する意図はない。本発明の範囲は以下の特許請求の範囲に記載されているとおりである。
【図１】
2011524108.tif 000003
【図２】
2011524108.tif 000004
【図４】
2011524108.tif 000005
【図６】
2011524108.tif 000006
【図７】
2011524108.tif 000007
【図３】
2011524108.tif 000008
【図５】
2011524108.tif 000009
【手続補正書】
【提出日】平成22年2月26日(2010.2.26)
【手続補正１】
【補正対象書類名】特許請求の範囲
【補正対象項目名】全文
【補正方法】変更
【補正の内容】
【特許請求の範囲】
【請求項１】
ビデオ格納メモリと、
広告コンテンツと、番組／映画コンテンツとを含むビデオストリームを放送ソースから受信するように構成されたビデオ信号受信機と、
番組／映画コンテンツ間に散在している広告コンテンツの位置を前記受信したビデオストリームにおいて特定し、かつ、前記広告コンテンツの前記特定された位置に対応するアドレス指定可能な見出しマークと、前記受信したビデオストリームに基づくビデオストリームとを前記メモリの中へ保存するように構成されたビデオ格納制御部とを備え、
前記ビデオ格納制御部は、更に、前記受信したビデオストリームの前記番組／映画コンテンツ部分に組み込まれたサブタイトルテキストであって、前記特定された広告コンテンツ位置の各々を基準として、定義された再生時間の範囲内に配置されているサブタイトルテキストを抽出すると共に、前記ビデオストリームと共に前記メモリの中へ保存される前記アドレス指定可能な見出しマークの一部として、前記抽出されたサブタイトルテキストを挿入するようにさらに構成され、
前記ビデオ格納制御部は、更に、前記再生が次に生じるアドレス指定可能な見出しマークに達する前に、次に生じるアドレス指定可能な当該見出しマークに対応する前記抽出されたサブタイトルテキストの、前記ビデオストリームの再生中のディスプレイ上への表示を開始するように構成されることを特徴とする電子装置。
【請求項２】
前記ビデオ格納制御部は、前記ビデオストリームを含む同一のメモリファイル内に保存されているアドレスルックアップテーブル内に前記アドレス指定可能な見出しマークを挿入するようにさらに構成されることを特徴とする請求項１に記載の電子装置。
【請求項３】
前記ビデオ格納制御部は、前記受信したビデオストリームの前記広告コンテンツの個々のインスタンスを除去し、該インスタンスを、前記アドレス指定可能な見出しマークのうちの対応する１つの見出しマークと置き換えて、前記メモリの中へ保存される修正ビデオストリームを生成するようにさらに構成されることを特徴とする請求項１乃至２のいずれか１項に記載の電子装置。
【請求項４】
ビデオ格納メモリと、
広告コンテンツと、番組／映画コンテンツとを含むビデオストリームを放送ソースから受信するように構成されたビデオ信号受信機と、
番組／映画コンテンツ間に散在している広告コンテンツの位置を前記受信したビデオストリームにおいて特定し、かつ、前記広告コンテンツの前記特定された位置に対応するアドレス指定可能な見出しマークと、前記受信したビデオストリームに基づくビデオストリームとを前記メモリの中へ保存するように構成されたビデオ格納制御部とを備え、
前記ビデオ格納制御部は、更に、前記広告コンテンツの前記特定された位置の各々に後続する前記ビデオストリームの前記番組／映画コンテンツ部分のビデオフレームのスナップショットをキャプチャするように構成されると共に、前記ビデオストリームと共に前記メモリの中へ保存される前記アドレス指定可能な見出しマークの一部として、前記キャプチャされたスナップショットを挿入するように構成され、
前記ビデオ格納制御部は、更に、前記再生が次に生じるアドレス指定可能な当該見出しマークに達する前に、次に生じるアドレス指定可能な見出しマークに対応する前記キャプチャされたスナップショットの、前記ビデオストリームの再生中にディスプレイ上への表示を開始するように構成されることを特徴とする電子装置。
【請求項５】
前記ビデオ格納制御部は、前記メモリの中へ保存される前記ビデオストリームをビデオディスプレイ上へ再生するように構成され、前記ビデオストリームを再生する長さを表わすと共に、現在の再生位置を指示する指示マークを前記再生タイムライン内に含む再生タイムラインをディスプレイ上に表示するように構成され、かつ、前記ビデオストリームの前記再生タイムラインの範囲内の前記指示マークの相対位置に比例する間隔を前記指示マーク間に有する少なくとも複数の前記アドレス指定可能な見出しマークを前記再生タイムライン上に表示するようにさらに構成されることを特徴とする請求項１乃至４のいずれか１項に記載の電子装置。
【請求項６】
前記ビデオ格納制御部は、前記アドレス指定可能な見出しマークのうちの選択された見出しマークによって定義された位置まで前記ビデオストリーム内の再生位置をジャンプすることによって視聴者見出し選択信号に応答するようにさらに構成されることを特徴とする請求項５に記載の電子装置。
【請求項７】
前記ビデオ格納制御部は、前記アドレス指定可能な見出しマークのうちの順序付けられたシーケンシャルなマークによって定義された、前記ビデオストリーム内のシーケンシャルに発生する時間位置のうちの１つの別の時間位置まで前記再生位置をジャンプすることによって、前記視聴者見出し選択信号の個々の発生に応答するようにさらに構成されることを特徴とする請求項６に記載の電子装置。
【請求項８】
前記ビデオ格納制御部は、前記メモリに保存された前記ビデオストリームの前記番組／映画コンテンツ部分に組み込まれたサブタイトルテキストであって、前記表示されたアドレス指定可能な見出しマークのうちの次の再生が行われることを示す１つの見出しマークを基準として、定義された再生時間の範囲内に配置されたサブタイトルテキストを抽出すると共に、再生が次に生じる表示されたアドレス指定可能な当該見出しマークに達する前に、前記抽出されたサブタイトルテキストの表示を開始するようにさらに構成されることを特徴とする請求項６乃至７のいずれか１項に記載の電子装置。
【請求項９】
前記サブタイトルテキストは、前記メモリに保存された前記ビデオストリームの前記番組／映画コンテンツ部分に組み込まれたクローズドキャプションテキストを含むと共に、前記ビデオ格納制御部は、前記表示されたアドレス指定可能な見出しマークのうちの次の再生が行われることを示す１つの見出しマークの前に生じる前記クローズドキャプションテキストの定義された語数を抽出し、該語数を前記ビデオディスプレイ上に表示するようにさらに構成されることを特徴とする請求項８に記載の電子装置。
【請求項１０】
前記ビデオ格納制御部は、前記メモリに保存された前記ビデオストリームの前記番組／映画コンテンツ部分に組み込まれたサブタイトルテキストであって、複数の前記表示されたアドレス指定可能な見出しマークを基準として、定義された再生時間の範囲内に配置されたサブタイトルテキストを抽出すると共に、前記複数の表示されたアドレス指定可能な見出しマークに対応する前記抽出されたサブタイトルテキストを前記ディスプレイ上に表示するようにさらに構成されることを特徴とする請求項６乃至９のいずれか１項に記載の電子装置。
【請求項１１】
前記ビデオ格納制御部は、前記表示されたアドレス指定可能な見出しマークに隣接して、前記ディスプレイ上に順序付けられた複数の前記表示されたアドレス指定可能な見出しマークに関連する前記抽出されたサブタイトルテキストを表示するようにさらに構成されることを特徴とする請求項１０に記載の電子装置。
【請求項１２】
前記抽出されたサブタイトルテキストは、前記メモリに保存された前記ビデオストリームに組み込まれたクローズドキャプションテキストを含むと共に、前記ビデオ格納制御部は、複数の前記表示されたアドレス指定可能な見出しマークに後続して生じる前記クローズドキャプションテキストの定義された語数を抽出し、該語数を前記ビデオディスプレイ上に表示するようにさらに構成されることを特徴とする請求項１０乃至１１のいずれか１項に記載の電子装置。
【請求項１３】
前記ビデオ格納制御部は、前記表示されたアドレス指定可能な見出しマークのうちの次の再生が行われることを示す１つの見出しマークに後続する前記ビデオストリームの前記番組／映画コンテンツ部分のビデオフレームのスナップショットをキャプチャするように構成され、かつ、再生が次に生じる表示されたアドレス指定可能な当該見出しマークに達する前に、前記キャプチャされたスナップショットの表示を開始するようにさらに構成されることを特徴とする請求項４乃至１２のいずれか１項に記載の電子装置。
【請求項１４】
前記ビデオ格納制御部は、前記表示されたアドレス指定可能な見出しマークの各々に後続する前記ビデオストリームの前記番組／映画コンテンツ部分のビデオフレームのスナップショットをキャプチャすると共に、前記複数の表示されたアドレス指定可能な見出しマークに対応する前記キャプチャされたスナップショットを前記ビデオディスプレイ上に表示するようにさらに構成されることを特徴とする請求項９乃至１６のいずれか１項に記載の電子装置。
【請求項１５】
前記ビデオ格納制御部は、前記広告コンテンツの個々のインスタンスの予想される発生時刻前後に定義された時間窓中に、前記ビデオストリームの２つのシーケンシャルなフレームの間で生じる場面コンテンツの変化を示すしきい値量に応じて、前記受信したビデオストリーム内の前記広告コンテンツの個々のインスタンスの前記位置を特定するようにさらに構成されることを特徴とする請求項１乃至１４のいずれか１項に記載の電子装置。
【請求項１６】
前記ビデオ格納制御部は、前記広告コンテンツの第１のインスタンスの前記位置を特定すると共に、前記広告コンテンツの前記第１のインスタンスの前記特定された位置から離れた、後続の時間窓の開始位置を定義された時間間隔として次いで決定するようにさらに構成され、かつ、前記時間窓の開始位置は、前記広告コンテンツの第２のインスタンスを探索するために前記ビデオ格納制御部により使用されることを特徴とする請求項１５に記載の電子装置。
【請求項１７】
前記ビデオ格納制御部は、前記ビデオストリーム用の識別子と、前記関連するアドレス指定可能な見出しマークを含むメッセージとを生成し、かつ、前記アドレス指定可能な見出しマークと共に前記ビデオストリームを表示する際に用いるための前記メッセージを外部ネットワークを介して別の電子装置へ送信するようにさらに構成されることを特徴とする請求項１乃至１６のいずれか１項に記載の電子装置。
【手続補正書】
【提出日】平成23年1月5日(2011.1.5)
【手続補正１】
【補正対象書類名】特許請求の範囲
【補正対象項目名】全文
【補正方法】変更
【補正の内容】
【特許請求の範囲】
【請求項１】
ビデオ格納メモリと、
広告コンテンツと、番組／映画コンテンツとを含むビデオストリームを放送ソースから受信するように構成されたビデオ信号受信機と、
番組／映画コンテンツ間に散在している広告コンテンツの位置を前記受信したビデオストリームにおいて特定し、かつ、前記広告コンテンツの前記特定された位置に対応するアドレス指定可能な見出しマークと、前記受信したビデオストリームに基づくビデオストリームとを前記メモリの中へ保存するように構成されたビデオ格納制御部とを備え、
前記ビデオ格納制御部は、更に、前記広告コンテンツの前記特定された位置の各々に後続する前記ビデオストリームの前記番組／映画コンテンツ部分のビデオフレームのスナップショットをキャプチャするように構成されると共に、前記ビデオストリームと共に前記メモリの中へ保存される前記アドレス指定可能な見出しマークの一部として、前記キャプチャされたスナップショットを挿入するように構成され、
前記ビデオ格納制御部は、更に、前記再生が次に生じるアドレス指定可能な当該見出しマークに達する前に、次に生じるアドレス指定可能な見出しマークに対応する前記キャプチャされたスナップショットの、前記ビデオストリームの再生中にディスプレイ上への表示を開始するように構成されることを特徴とする電子装置。
【請求項２】
前記ビデオ格納制御部は、前記メモリの中へ保存される前記ビデオストリームをビデオディスプレイ上へ再生するように構成され、前記ビデオストリームを再生する長さを表わすと共に、現在の再生位置を指示する指示マークを前記再生タイムライン内に含む再生タイムラインをディスプレイ上に表示するように構成され、かつ、前記ビデオストリームの前記再生タイムラインの範囲内の前記指示マークの相対位置に比例する間隔を前記指示マーク間に有する少なくとも複数の前記アドレス指定可能な見出しマークを前記再生タイムライン上に表示するようにさらに構成されることを特徴とする請求項１に記載の電子装置。
【請求項３】
前記ビデオ格納制御部は、前記アドレス指定可能な見出しマークのうちの選択された見出しマークによって定義された位置まで前記ビデオストリーム内の再生位置をジャンプすることによって視聴者見出し選択信号に応答するようにさらに構成されることを特徴とする請求項２に記載の電子装置。
【請求項４】
前記ビデオ格納制御部は、前記メモリに保存された前記ビデオストリームの前記番組／映画コンテンツ部分に組み込まれたサブタイトルテキストであって、前記表示されたアドレス指定可能な見出しマークのうちの次の再生が行われることを示す１つの見出しマークを基準として、定義された再生時間の範囲内に配置されたサブタイトルテキストを抽出すると共に、再生が次に生じる表示されたアドレス指定可能な当該見出しマークに達する前に、前記抽出されたサブタイトルテキストの表示を開始するようにさらに構成されることを特徴とする請求項３に記載の電子装置。
【請求項５】
前記ビデオ格納制御部は、前記メモリに保存された前記ビデオストリームの前記番組／映画コンテンツ部分に組み込まれたサブタイトルテキストであって、複数の前記表示されたアドレス指定可能な見出しマークを基準として、定義された再生時間の範囲内に配置されたサブタイトルテキストを抽出すると共に、前記複数の表示されたアドレス指定可能な見出しマークに対応する前記抽出されたサブタイトルテキストを前記ディスプレイ上に表示するようにさらに構成されることを特徴とする請求項３に記載の電子装置。
【請求項６】
前記ビデオ格納制御部は、前記表示されたアドレス指定可能な見出しマークに隣接して、前記ディスプレイ上に順序付けられた複数の前記表示されたアドレス指定可能な見出しマークに関連する前記抽出されたサブタイトルテキストを表示するようにさらに構成されることを特徴とする請求項５に記載の電子装置。
【請求項７】
前記抽出されたサブタイトルテキストは、前記メモリに保存された前記ビデオストリームに組み込まれたクローズドキャプションテキストを含むと共に、前記ビデオ格納制御部は、複数の前記表示されたアドレス指定可能な見出しマークに後続して生じる前記クローズドキャプションテキストの定義された語数を抽出し、該語数を前記ビデオディスプレイ上に表示するようにさらに構成されることを特徴とする請求項５に記載の電子装置。
【請求項８】
前記ビデオ格納制御部は、前記広告コンテンツの個々のインスタンスの予想される発生時刻前後に定義された時間窓中に、前記ビデオストリームの２つのシーケンシャルなフレームの間で生じる場面コンテンツの変化を示すしきい値量に応じて、前記受信したビデオストリーム内の前記広告コンテンツの個々のインスタンスの前記位置を特定するようにさらに構成されることを特徴とする請求項１に記載の電子装置。
【請求項９】
前記ビデオ格納制御部は、前記広告コンテンツの第１のインスタンスの前記位置を特定すると共に、前記広告コンテンツの前記第１のインスタンスの前記特定された位置から離れた、後続の時間窓の開始位置を定義された時間間隔として次いで決定するようにさらに構成され、かつ、前記時間窓の開始位置は、前記広告コンテンツの第２のインスタンスを探索するために前記ビデオ格納制御部により使用されることを特徴とする請求項８に記載の電子装置。
【請求項１０】
前記ビデオ格納制御部は、前記ビデオストリーム用の識別子と、前記関連するアドレス指定可能な見出しマークを含むメッセージとを生成し、かつ、前記アドレス指定可能な見出しマークと共に前記ビデオストリームを表示する際に用いるための前記メッセージを外部ネットワークを介して別の電子装置へ送信するようにさらに構成されることを特徴とする請求項１に記載の電子装置。
【国際調査報告】
2011524108.tif 000010
2011524108.tif 000011
2011524108.tif 000012